(57)【要約】  フレキソ印刷用印刷版を直接彫刻するための光学像形成ヘッドであって、当該ヘッドは、１つ又は２つ以上の波長で輻射線を放射する少なくとも２つのレーザーダイオード(10, 12)；及び前記版の表面に対して異なる深さに前記１つ又は２つ以上の輻射線波長を結像する手段を含んで成る。
2009541091.tif 000002
【特許請求の範囲】
【請求項１】
フレキソ印刷用印刷版を直接彫刻するための光学像形成ヘッドであって、
１つ又は２つ以上の波長で輻射線を放射する少なくとも２つのレーザーダイオード；及び
前記版の表面に対して異なる深さに前記１つ又は２つ以上の輻射線波長を結像する手段
を含んで成る。
【請求項２】
前記レーザーダイオードがファイバー結合型である請求項１に記載の光学像形成ヘッド。
【請求項３】
前記結像手段が、テレセントリックレンズを含む請求項１に記載の光学像形成ヘッド。
【請求項４】
該結像手段の前で、非結像光学素子が使用される請求項１に記載の光学像形成ヘッド。
【請求項５】
前記結像手段が、テレセントリックレンズを含む請求項２に記載の光学像形成ヘッド。
【請求項６】
前記レーザーダイオードが多モード及び／又は単一モードレーザーダイオードである請求項１に記載の光学像形成ヘッド。
【請求項７】
前記レーザーダイオードが、波長依存ビーム結合器を使用して結合される請求項１に記載の光学像形成ヘッド。
【請求項８】
前記レーザーダイオードが、偏光依存ビーム結合器を使用して結合される請求項１に記載の光学像形成ヘッド。
【請求項９】
該レーザーを互いに関して、時間的に直接的に変調する手段を含む請求項１に記載の光学像形成ヘッド。
【請求項１０】
前記結像手段が、光路内にガラス板を含む請求項１に記載の光学像形成ヘッド。
【請求項１１】
前記結像手段が、分散性光学素子を含む請求項１に記載の光学像形成ヘッド。
【請求項１２】
前記版表面に対して異なる深さでの前記結像が、テレセントリックレンズの異なる対物平面内で前記ダイオード又は前記ファイバーの遠位端を調節することにより達成される請求項１に記載の光学像形成ヘッド。
【請求項１３】
回折光学素子が、該ビームのガウス・プロフィールをシルクハット形状に変換する請求項１に記載の光学像形成ヘッド。
【請求項１４】
前記ファイバー結合型レーザーダイオードが、前記版上に異なるサイズのスポットを彫刻するために、異なるコア直径を備えている請求項２に記載の光学像形成ヘッド。
【請求項１５】
前記ダイオードの少なくとも一部分がテレセントリックレンズの共通の対物平面内で整列されている請求項１に記載の光学像形成ヘッド。
【請求項１６】
前記ダイオードの少なくとも一部分がテレセントリックレンズの異なる対物平面内で整列されている請求項１に記載の光学像形成ヘッド。
【請求項１７】
照射後又は照射中に、前記印刷版を検査して診断する手段をさらに含んで成る請求項１に記載の光学像形成ヘッド。
【請求項１８】
前記ガラス板が、異なる厚さ及び異なるか又は同じ屈折率をそれぞれが有する、いくつかのゾーンから構成されている請求項１０に記載の光学像形成ヘッド。
【請求項１９】
前記検査手段が、該版からの後方反射を測定するための検出器及び光ファイバー結合器を含む請求項１７に記載の光学像形成ヘッド。
【請求項２０】
それぞれが１つ又は２つ以上の波長で輻射線を放射する少なくとも２つのレーザーダイオードを準備する工程；
前記１つ又は２つ以上の波長の輻射線を強く吸収するように適合されたアブレート可能層を含む印刷版を準備する工程；そして
前記版の表面に対して同じか又は異なる深さのところに、前記１つ又は２つ以上の波長の輻射線を結像させる工程
を含んで成るフレキソ印刷用印刷版を彫刻する方法。
【請求項２１】
前記結像が、前記印刷版上の同じか又は異なるスポットで行われる請求項２０に記載の方法。
【請求項２２】
前記レーザーダイオードが、ファイバー結合型である請求項２０に記載の方法。
【請求項２３】
前記レーザーダイオードが、ファイバー結合型である請求項２１に記載の方法。
【請求項２４】
前記ファイバーが、前記版上に異なるサイズのスポットを彫刻するために、異なるコア直径を備えている請求項２２に記載の方法。
【請求項２５】
前記ファイバーが、前記版上に異なるサイズのスポットを彫刻するために、異なるコア直径を備えている請求項２３に記載の方法。
【請求項２６】
前記版表面に対して異なる深さでの前記結像が、テレセントリックレンズの異なる対物平面内で前記ダイオード又は前記ファイバーの遠位端部分を調節することにより達成される請求項２２に記載の方法。
【発明の詳細な説明】
【技術分野】
【０００１】
本発明は、光学印刷ヘッド、及び高出力ダイオードレーザーを利用することにより感光フレキソ印刷用印刷版を直接彫刻する方法に関する。
【背景技術】
【０００２】
伝統的なフレキソ印刷法は、エラストマー、例えばゴムを型内で成形することにより、又はＵＶ感光性ポリマーを光重合することにより、印刷版を調製する。これらの方法は速度が遅く、また高価である。
【０００３】
エラストマー表面上に隆起パターンを形成するための別の技術は、直接彫刻印刷システムにおける光源として現在使用されているよく知られたＮｄＹＡＧ又はＣＯ2レーザーを用いて、隆起パターンを直接切削することである。レーザーは、陥凹領域内でエラストマーをアブレートするように、そして隆起領域内でエラストマーを無傷のまま残すように制御される。しかしながら、コンベンショナルなフレキソ印刷用印刷版は、素早くレーザー彫刻することができない。その理由は、レーザーがエラストマーの比較的厚い層（０．５ｍｍ〜２ｍｍ）をアブレートするからである。こうして、マルチＫＷレーザーに、１時間未満で典型的なフレキソ印刷版を完成することが求められる。
【０００４】
ＣＯ2レーザーを用いてフレキソグラフィ印刷表面をレーザー彫刻するときの以前の試みに伴う別の問題は、ＣＯ2レーザーが、ダイオードレーザーのほぼ１ミクロンに対して１０．６ミクロンという長い波長を有し、このことは、達成し得る分解能を大幅に制限してしまうことである。加えて、ＣＯ2レーザーの長い波長により、遠赤外線のための光学素子を使用する必要がある。これらは、近赤外線のために使用される光学素子に対して著しく高価である。
【０００５】
米国特許第６，１５０，６２９号明細書（Sievers）には、異なる波長を有する２つのレーザーを使用したレーザー彫刻システムが記載されている。各レーザーは、独立して、そして時間的変調することができる。この特許明細書は、版に対する種々異なる効果を達成するために時間的変調を用いることについて厳密に述べている。これらのレーザーは、外部変調用音響光学モジュレータを使用して１つのビームに結合され、そして版上に結像される。
【発明の概要】
【発明が解決しようとする課題】
【０００６】
Sieversの方法は：
・  異なるレーザービームが版表面に対して同じ深さに集束されること、
・  異なるレーザービームが１つの共通の光路に結合されること、
・  音響光学モジュレータを使用した外部変調
を含むいくつかの欠点を有する。
【０００７】
米国特許第４，９４７，０２３号明細書（Minamida）には、パルス・レーザービームによるロール・ダル加工のための装置が記載されている。このシステムは等波長で光を放射する多数のレーザーを利用し、これらのレーザーは、１つ又は２つ以上の光路に結合することができる。版表面上に異なるスポット・サイズを得るために、ビーム拡大器を介して、レーザーのビーム広がりを操作することができる。Minamidaのシステムは、異なる波長を使用せず、又版表面に対して異なる深さに異なる波長を空間的に集束するための光学素子も使用しない。
【０００８】
米国特許第６，６６４，４９８号明細書（Forsman）には、レーザー加工において材料除去速度を高めるための方法及び装置が記載されている。この特許明細書の意図は、鋼、アルミニウム、及びケイ素のような材料を処理することである。印刷版に関しては述べられていない。この特許明細書の主たる発明思想は、通常はナノ秒範囲のパルス継続時間の、極めて短いレーザーパルスのバーストを伴う高出力パルスレーザーを使用することである。このような目標はファイバー・ダイオードを用いて達成することはできない。
【課題を解決するための手段】
【０００９】
本発明は、直接彫刻印刷システムにおける光源として現在使用されているよく知られた強力なＮｄＹＡＧ又はＣＯ2レーザーの代わりに、高出力レーザーダイオード及び／又は高出力ファイバー結合型レーザーダイオード、及び／又はレーザーファイバーを使用する。本発明のマルチビーム光学ヘッドは、数百ワットを放出する１つ又は２つだけの強力なＮｄＹＡＧ及びＣＯ2レーザービームを有する光学ヘッドを使用する代わりに、エミッター幅１００ミクロン当たり１０ワットのオーダーの、比較的控えめな出力をそれぞれ有する多数のレーザーダイオードを内蔵している。
【発明の効果】
【００１０】
ＮｄＹＡＧ及びＣＯ2レーザーの代わりにダイオードレーザーを使用することの利点は、ダイオードレーザーがコンパクトであり、信頼性高く、そして外部のモジュレータの必要なしに、比較的高い周波数で直接に変調できることである。ダイオードレーザーはまた、異なる波長及び高い出力で利用可能である。気体は使用されず、必要となる電圧は比較的低い。
【００１１】
レーザーダイオードは今や、エミッター幅１００ミクロン当たり約１０ワットの比較的高い出力ですでに利用可能である。このことは、新しいタイプの比較的高感受性のフレキソ印刷用印刷版を直接彫刻するための高出力ダイオードレーザーの使用を可能にする。
【００１２】
直接彫刻フレキソ印刷用印刷版は、１に近い一般放射率を有しており、従っていずれの波長も吸収する。版上に衝突するレーザー光は版によって吸収され、そして版内に成形穴を彫刻する。本発明はまた、光学ヘッドを使用するいくつかの態様、及び直接彫刻及びアブレーション効果を高めるためにレーザー光が制御される方法を含む。例えば、本発明の１観点によれば、フレキソ印刷用印刷版を直接彫刻するための光学像形成ヘッドは、１つ又は２つ以上の波長の輻射線を放射する少なくとも２つのレーザーダイオードと、版表面に対して異なる深さで１つ又は２つ以上の輻射線波長を結像する手段とを含んで成る。
【図面の簡単な説明】
【００１３】
【図１】図１は、本発明による非ファイバーシ光学ステムの１チャネルを示す概略図である。
【図２】図２は、本発明によるファイバー結合型システムの１チャネルを示す概略図である。
【図３】図３は、本発明による偏光ビーム結合器を使用した非ファイバーシステムの１チャネルを示す概略図である。
【図４】図４は、本発明による偏光ビーム結合器を使用したファイバー結合型システムの１チャネルを示す概略図である。
【図５】図５は、光線追跡、及び２つの検出器によって測定されたスクリーンのショットである。
【図６】図６は、本発明による連続露光モードのための１チャネルを示す概略図である。
【図７】図７は、光ファイバーが異なる寸法を有する、同じ波長を有する２つのダイオードを使用する１チャネルを示す概略図である。
【図８】図８は、異なる波長で発光するダイオードを使用する図７に示された態様の概略図である。
【図９】図９は、ファイバーの遠位端が異なる対物平面内に配列された、本発明の１チャネルを示す概略図である。
【図１０】図１０は、対物平面Ｕ内のファイバー位置に対する、像平面Ｖの相対シフトを測定するためのシステムを示す概略図である。
【図１１】図１１は、対物平面内のファイバー位置Ｕに対する像平面の相対シフトを示すグラフである。
【図１２】図１２は、厚さＤ及び屈折率ｎのガラス板を内蔵する本発明の態様である。
【図１３】図１３は、それぞれが異なる厚さ及び異なる又は同じ屈折率を有するいくつかのゾーンから構成されたガラス板を内蔵する本発明の態様である。
【図１４】図１４は、Ｙ方向に沿って屈折率の可変プロフィールを有するガラス板を内蔵する本発明の態様である。
【図１５】図１５は、診断システムにおいて有用な共焦点及び自動焦点測定のための態様を示す概略図である。
【図１６】図１６は、回折素子を使用することにより、ガウス・ビーム・プロフィールを２つのタイプのシルクハット・プロフィールに変換することを示す図である。
【図１７】図１７は、２つのＶ字溝を成して光ファイバーが整列されている特定の事例を示す断面図である。
【図１８】図１８は、図１７に示されたＶ字溝のうちの１つを示す拡大図である。
【発明を実施するための形態】
【００１４】
本発明は、直接彫刻及びアブレーション効果を高めるためにレーザーダイオード光が制御されるいくつかの方法を示唆する。図１を参照しながら、２つの異なる波長で発光する２つのレーザーダイオード１０，１２の特定の事例のために示されたスキームによって本発明を説明する。異なる波長で発光するレーザーダイオードを使用することによって、そして結像レンズ１６の分散を制御することによって、異なる波長における焦点１８，２０は、互いに相対的にシフトされることになる。
【００１５】
図２は、ファイバー結合型ダイオードの事例に関して、図１と同じ概念を示す。２つの異なる波長は、ビーム結合器２２の代わりに光ファイバー結合器２６を使用して、１つのファイバーに結合される。
【００１６】
レーザーダイオードから放射された光は高度に偏光される。従って、図３に示すように、偏光ビーム結合器２４を使用することにより、同じ波長１０ａ，１０ｂを放射する２つのダイオードの出力を１つの光路に結合することができる。そのようにすると、各波長の出力は二倍化され、また版上に衝突する出力全体は４倍だけ増大させることができる。偏光ビーム結合器は、異なる構造を有する光源を結合するために光学分野で使用される良く知られた素子である。偏光ビーム結合器は、自由空間及びファイバー（主に単一モード・ファイバーのため）結合型構造の両方で利用可能である。
【００１７】
図４は、２つの異なる波長を使用する態様におけるファイバー結合型ダイオードの事例のための、図３と同じ一般概念を示す。同じ波長１０ａ，１０ｂを放射する２つのファイバー結合型ダイオードの出力は、偏光光ファイバー結合器２７を使用することによって、１つのファイバー内に先ず結合される。第２の波長を放射する２つの追加のダイオード１０ｃ，１０ｄは１つの光路に結合される。
【００１８】
概念を大まかに確認し提示するために、特定の結像レンズ、及び８００ｎｍ及び９７０ｎｍで発光する２つのダイオードを使用する、図５において示されるシミュレーションを行った。その結果は、光線追跡、及び２つの検出器によって測定されたスポット・サイズを示す。検出器は２つの焦点に配置されており、これらの焦点は互いにほぼ１００ミクロン内でシフトされる。結像レンズはもちろん、所期シフトを達成するために設計することができる。
【００１９】
図６は、互いに隣接して配置された異なる波長を有するレーザーダイオード３０ａ，３０ｂを示す。一般に、光学ヘッド（示さず）は、矢印３１によって示された方向で版に沿って運動する。先ず、レーザーダイオード３０ｂが作動され、次いですぐに、すなわちレーザーダイオード３０ａがレーザーダイオード３０ｂによって既に露光されたのと同じ画素に達すると、レーザーダイオード３０ａが作動される。記載の態様はファイバー結合型ダイオードを使用する。説明はｎ個のチャネルのうち２つのチャネルに関してのみ行う。同じ一般概念はもちろん、ファイバーを用いずに実施することもできる。
【００２０】
異なるコア直径を有する光ファイバー３３ａ及び３３ｂは、図７に示されているように、同じＶ字溝３５上に集成することができる。これは、同じか又は異なる波長に対して実施することができる。このようにして、唯１つの結像レンズ３７を使用することによって、２つのサイズのスポットを得ることができる。図面は、同じ波長の２つのレーザーダイオード３２ａ及び３２ｂの一例を示す。光ファイバー３３ｂが４０ミクロンのファイバーであり、そして光ファイバー３３ａが１００ミクロンのファイバーである場合、１×２結像レンズ３７を使用することによって、２０ミクロンのスポット４０ｂ及び５０ミクロンのスポット４０ａを得る。
【００２１】
図８も同じ概念を示しているが、しかしここではレーザーダイオード４１ａ及び４１ｂは異なる波長で発光する。異なる直径４２ａ及び４２ｂのスポットはそれぞれ異なる位置で達成される。
【００２２】
図９において、光ファイバー４３ａ及び４３ｂの遠位端は、それぞれ互いに異なる対物平面４５及び４６内でＶ字溝４４内に集成される。結果として、異なるファイバー先端の像平面４７及び４８はそれぞれ互いにシフトされる。図９は、２つのファイバーだけに対する効果を示す。光ファイバーは同一であることが可能であり、或いは、例えば異なるコア直径を有する異なったものであることも可能である。ファイバーは、同じか又は異なる波長で輻射線を放射することができる。
【００２３】
図６〜９の態様のうちの１つにおいて、ファイバー内で案内された光学的輻射線は、充填状態又は充填不足状態であってよい。一般に、レーザーダイオードは、直接彫刻版に対する種々異なる効果を得るために、互いに相対的に時間的に変調することができる。
【００２４】
図１０は、画像位置シフトが測定された特定の測定システムの一例を示す。
【００２５】
図１１は、図１０のシステムによって測定した、ファイバーの遠位端の、位置Ｕの関数としての像位置の相対的なシフトを示す。画像位置Ｖのシフトは、最小スポットを見いだすために、顕微鏡の位置を動かすことにより見いだされた。レーザービーム・エネルギーの９５％を含むスポットを測定して定義するために、レーザービーム分析装置が使用された。
【００２６】
倍率２のテレセントリック結像レンズを使用するこの特定の事例に関して、対物平面内でファイバーの遠位端をＸｍｍ動かす結果、像位置が０．５０８Ｘｍｍシフトすることが明らかである。例えばファイバーの遠位端をＵ＝４０からＵ４０．２へ、０．２ｍｍ動かす結果、画像は絶対的相対距離０．１ｍｍだけ動くことになる。
【００２７】
図１２に示されているように、ファイバー５２の遠位端と結像レンズ５４との間に配置された厚さＤのガラス板５０により、像平面は像平面４７から４８へシフトすることになる。像平面の位置のシフトＶは、板の厚さＤ及びその屈折率ｎの関数である。この概略図は、単一レーザーダイオード５５の特定の事例の場合のこのようなガラス板の効果を表す。実線の光線は、板が使用されず、且つ光線が像平面４７内に集束される場合を示す。破線の光線は、板が使用され、且つ焦点が像平面４８へシフトされる場合を示す。異なる波長から構成された多レーザー源が使用される時には、屈折率ｎが波長の関数であるという事実により、シフトＶは波長の関数となる。
【００２８】
ガラス板は、それぞれが図１３に示されているような、異なる厚さ及び異なる又は同じ屈折率を有するいくつかのゾーンから構成することができる。このような構造は、所要のシフトを得るために、ファイバー先端の前面におけるガラス板の移動及び調節を可能にする。
【００２９】
ガラス板は、Ｙ方向に沿って変化する屈折率の可変プロフィールを有することもできる。ガラス板のこのような形態は、図１４に示される。このような構造は、所要のシフトを得るために、ファイバー先端の前面でガラス板の右側のゾーンを動かして調節することができる。ガラス板は、結像レンズと結像表面との間に挿入することもできる。
【００３０】
コンセプトの一例は図１５に示されている。光学検出器６０ａ及び６０ｂは、それぞれ、光ファイバー結合器６１ａ及び６１ｂ、並びに光ファイバー６３ａ〜６３ｄによって、レーザーダイオード６２ａ，６２ｂに光学的に結合されている。印刷版上に衝突するレーザー線は部分的に後方に向かって反射され、そして光学検出器６０ａ及び６０ｂによって検出される。光学検出器６０ａにおける信号Ｖ１、及び光学検出器６０ｂにおける信号Ｖ２は、印刷版の位置に対して比例する。版が位置Ａにあるときには、光学検出器６０ａにおける信号がその最大値となり、また版が位置Ｂにあるときには、光学検出器６０ｂにおける信号がその最大値となる。従って、印刷版の位置に対して所期距離で結像レンズを調節するために、信号Ｖ１及びＶ２を使用することができる。さらに、信号Ｖ１及びＶ２は、レーザービームによる露光後又は露光中に、印刷版を検査して診断するために使用することもできる。
【００３１】
単一モードダイオードが使用される場合、回折光学素子を利用して、ガウス・ビーム・プロフィールを、図１６に示したようにシルクハットに変換することができる。このような回折素子は、www.holoor.co.il/website/data/index.htmlを含むいくつかの企業によって製造されている。
【００３２】
図１〜１６によって示された光源は、ダイオードレーザー及び／又はファイバー結合型ダイオードレーザーであることが可能である。図１〜１６によって示された、ファイバーが互いに整列された異なる形態は、印刷胴の遅軸及び／又は速軸に対して施すことができる（遅軸及び速軸は、印刷分野における当業者によく知られたパラメータである）。
【００３３】
ファイバーは、例えば機械的支持体内に、互いに任意の形態を成して、例えば図１７及び１８に示されたＶ字溝６５の形態を成して、間隔を置いて整列することができる。ファイバーは、互いに隣接して、及び／又は互いに上下に整列されてよく、この場合、２つ又は３つ以上のＶ字溝が、サンドイッチ形態を成して互いに上下に整列される。サンドイッチ形態の特定の事例は、図１７に見ることができる。
【００３４】
種々の波長のダイオードを使用することにより、いくつかの利点を直接彫刻のために得ることができる。適正な光学設計によって、直接彫刻品質に適合することなる比較的良好なスポット・サイズを維持しつつ、焦点深度を深くすることができる。
【００３５】
ダイオードは、直接彫刻版に対する種々異なる効果を得るために、空間的（異なるコア直径を有するファイバーを使用することによって、又は異なる対物平面にファイバーの遠位端を位置決めすることによって）及び／又は時間的（例えば、第２のダイオードなどの前に第１のダイオードを初期化することによって）に互いに相対的に変調することができる。
【００３６】
異なる波長で発光するレーザーダイオードを使用する場合、直接彫刻印刷版、例えば同一譲受人による同時係属中の米国特許出願第１１／３５３，２１７号明細書に記載された印刷版の固有の光学的・熱的特徴に合わせて、多色光源を調整することができる。
【００３７】
本発明の利点は下記の通りである：
・  直接彫刻のために必要とされる品質にとって十分となる比較的良好なスポット・サイズを維持しつつ、出力及び焦点深度の両方を増大させる。
・  レーザーは、特定の彫刻版に対するより良好な効果を得るために同時に、又は互いに相対的に、時間的に変調することができる。
・  レーザーの直接的な変調が外部の変調を必要としない。
【符号の説明】
【００３８】
１０    レーザーダイオード
１０ａ    波長λ２Ｐ偏光
１０ｂ    波長λ２Ｓ偏光
１０ｃ    波長λ１Ｐ偏光
１０ｄ    波長λ１Ｓ偏光
１２    レーザーダイオード
１６    結像レンズ
１８    焦点
２０    焦点
２２    ビーム結合器
２４    偏光ビーム結合器
２６    光ファイバー結合器
２７    偏光光ファイバー結合器
３０ａ    レーザーダイオード
３０ｂ    レーザーダイオード
３１    ヘッド運動方向
３２ａ    レーザーダイオード
３２ｂ    レーザーダイオード
３３ａ    光ファイバー
３３ｂ    光ファイバー
３５    Ｖ字溝
３７    結像レンズ
４０ａ    ５０ミクロン直径のスポット
４０ｂ    ２０ミクロン直径のスポット
４１ａ    レーザーダイオード
４１ｂ    レーザーダイオード
４２ａ    ５０ミクロン直径のスポット
４２ｂ    ２０ミクロン直径のスポット
４３ａ    光ファイバー
４３ｂ    光ファイバー
４４    Ｖ字溝
４５    対物平面
４６    対物平面
４７    像平面
４８    像平面
５０    ガラス板
５２    光ファイバー
５４    結像レンズ
５５    レーザーダイオード
６０ａ    光学検出器
６０ｂ    光学検出器
６１ａ    光ファイバー結合器
６１ｂ    光ファイバー結合器
６２ａ    レーザーダイオード
６２ｂ    レーザーダイオード
６３ａ    光ファイバー
６３ｂ    光ファイバー
６３ｃ    光ファイバー
６３ｄ    光ファイバー
６５    Ｖ字溝
【図１】
2009541091.tif 000003
【図２】
2009541091.tif 000004
【図３】
2009541091.tif 000005
【図４】
2009541091.tif 000006
【図５】
2009541091.tif 000007
【図６】
2009541091.tif 000008
【図７】
2009541091.tif 000009
【図８】
2009541091.tif 000010
【図９】
2009541091.tif 000011
【図１０】
2009541091.tif 000012
【図１１】
2009541091.tif 000013
【図１２】
2009541091.tif 000014
【図１３】
2009541091.tif 000015
【図１４】
2009541091.tif 000016
【図１５】
2009541091.tif 000017
【図１６】
2009541091.tif 000018
【図１７】
2009541091.tif 000019
【図１８】
2009541091.tif 000020
【国際調査報告】
2009541091.tif 000021
2009541091.tif 000022
2009541091.tif 000023